(57)【要約】【課題】画質に影響を与えることなく、消費電力を低減することができるようにした有機電界発光表示装置及びその駆動方法を提供する。【解決手段】走査線に走査信号を順次供給するための走査駆動部１１０と、前記走査信号と同期されるようにデータ線にデータ信号を供給するためのデータ駆動部１２０と、前記走査線及びデータ線の交差部に位置する画素１４０と、正常な画像を表示する正常駆動モードと最小限の情報のみを表示する待機駆動モードを判別するためのタイミング制御部１５０と、前記画素に供給される第１電源と第２電源を生成し、前記正常駆動モードで前記第１電源と前記第２電源間の電圧差を第１電圧に設定し、前記待機駆動モードで前記第１電源と前記第２電源間の電圧差を前記第１電圧と異なる第２電圧に設定する電源部とを備える。【選択図】図１
2011081336.tif 000002
【特許請求の範囲】
【請求項１】
走査線に走査信号を順次供給するための走査駆動部と、
前記走査信号と同期されるようにデータ線にデータ信号を供給するためのデータ駆動部と、
前記走査線及びデータ線の交差部に位置する画素と、
正常な画像を表示する正常駆動モードと最小限の情報のみを表示する待機駆動モードを判別するためのタイミング制御部と、
前記画素に供給される第１電源と第２電源を生成し、前記正常駆動モードで前記第１電源と前記第２電源間の電圧差を第１電圧に設定し、前記待機駆動モードで前記第１電源と前記第２電源間の電圧差を前記第１電圧と異なる第２電圧に設定する電源部と、
を備えることを特徴とする有機電界発光表示装置。
【請求項２】
前記第１電圧は、前記第２電圧より高い電圧であることを特徴とする請求項１に記載の有機電界発光表示装置。
【請求項３】
前記データ駆動部は前記正常駆動モードで多様な階調を実現できる前記データ信号を供給し、前記待機駆動モードで前記画素の発光又は非発光のみを決定する前記データ信号を供給することを特徴とする請求項１または２に記載の有機電界発光表示装置。
【請求項４】
前記画素のそれぞれは、
カソード電極が前記第２電源と接続される有機発光ダイオードと、
前記第１電源と前記有機発光ダイオードのアノード電極との間に位置し、前記有機発光ダイオードに供給される電流量を制御するための駆動トランジスタと含む画素回路と、
を備えることを特徴とする請求項１〜３のいずれか一項に記載の有機電界発光表示装置。
【請求項５】
前記電源部は前記正常駆動モードで前記駆動トランジスタが飽和領域で駆動され得るように前記第１電源及び第２電源の電圧を設定することを特徴とする請求項４に記載の有機電界発光表示装置。
【請求項６】
前記電源部は前記待機駆動モードで前記駆動トランジスタが線形領域で駆動され得るように前記第１電源及び第２電源の電圧を設定することを特徴とする請求項４に記載の有機電界発光表示装置。
【請求項７】
前記待機駆動モードで、前記データ駆動部は前記駆動トランジスタが完全にターンオン又はターンオフされ得る前記データ信号を供給することを特徴とする請求項６に記載の有機電界発光表示装置。
【請求項８】
前記電源部は前記待機駆動モードと前記正常駆動モードで同一の電圧値を維持する第３電源と、前記待機駆動モードと前記正常駆動モードに対応して電圧値が変更される第４電源を更に生成することを特徴とする請求項４〜７のいずれか一項に記載の有機電界発光表示装置。
【請求項９】
前記第３電源は前記駆動トランジスタが完全にターンオンされ得る電圧に設定されることを特徴とする請求項８に記載の有機電界発光表示装置。
【請求項１０】
前記第３電源は前記データ駆動部から出力され得る最も低いデータ信号の電圧と同一か、より低い電圧に設定されることを特徴とする請求項９に記載の有機電界発光表示装置。
【請求項１１】
前記第４電源は前記正常駆動モードで前記データ駆動部から供給され得る最も低いデータ信号の電圧と同一か、より低い電圧に設定され、前記待機駆動モードで前記駆動トランジスタが完全にターンオフされ得る電圧に設定されることを特徴とする請求項８〜１０のいずれか一項に記載の有機電界発光表示装置。
【請求項１２】
前記データ駆動部の出力端子と前記データ線との間に接続され、前記正常駆動モード期間に前記出力端子から供給されるデータ信号を前記データ線に伝達し、前記待機駆動モード期間に前記第３電源及び第４電源を前記データ線に伝達するためのスイッチ部を更に備えることを特徴とする請求項８〜１１のいずれか一項に記載の有機電界発光表示装置。
【請求項１３】
前記スイッチ部は、
前記出力端子及びデータ線のそれぞれの間に設置され、前記タイミング制御部から供給される第１制御信号に対応して前記正常駆動モード期間にターンオン状態を維持し、前記待機駆動モード期間にターンオフ状態を維持する第１トランジスタと、
前記第４電源及びデータ線のそれぞれの間に設置され、前記出力端子に供給される電圧に対応して前記待機駆動モード期間にターンオン又はターンオフされる第２トランジスタと、
前記第３電源及び前記データ線の間に１つ以上設置され、前記タイミング制御部から供給される第２制御信号に対応して前記待機駆動モード期間にターンオン又はターンオフを繰り返す第３トランジスタと、
を備えることを特徴とする請求項１２に記載の有機電界発光表示装置。
【請求項１４】
前記第３トランジスタは前記待機駆動モード中、前記走査信号が供給される期間にターンオフされ、走査信号が供給されない期間にターンオンされて前記第３電源の電圧を前記データ線に供給することを特徴とする請求項１３に記載の有機電界発光表示装置。
【請求項１５】
前記第２トランジスタは前記待機駆動モード中、前記走査信号が供給される期間に前記走査信号に選択された画素が非発光状態に設定される場合にターンオンされ、その他の場合にターンオフされることを特徴とする請求項１３に記載の有機電界発光表示装置。
【請求項１６】
第１電源から有機発光ダイオードを経由して第２電源に流れる電流量を制御する駆動トランジスタを備える画素を含む有機電界発光表示装置の駆動方法において、
正常な映像を表示するための正常駆動モード又は最小限の情報のみを表示するための待機駆動モードであるかを判別する段階と、
前記正常駆動モードの場合、前記駆動トランジスタが飽和領域で駆動され得るように前記第１電源及び第２電源の電圧を設定する段階と、
前記待機駆動モードの場合、前記駆動トランジスタが線形領域で駆動され得るように前記第１電源及び第２電源の電圧を設定する段階と、
を含むことを特徴とする有機電界発光表示装置の駆動方法。
【請求項１７】
前記正常駆動モードの場合、前記画素で多様な階調の映像が表示され得るようにデータ信号の電圧が設定されることを特徴とする請求項１６に記載の有機電界発光表示装置の駆動方法。
【請求項１８】
前記待機駆動モードの場合、前記駆動トランジスタがスイッチ駆動されて前記画素が発光又は非発光状態で制御されるように前記データ信号の電圧が設定されることを特徴とする請求項１６に記載の有機電界発光表示装置の駆動方法。
【発明の詳細な説明】
【技術分野】
【０００１】
本発明は有機電界発光表示装置及びその駆動方法に関し、特に、消費電力を低減することができるようにした有機電界発光表示装置及びその駆動方法に関する。
【背景技術】
【０００２】
近年、陰極線管（Ｃａｔｈｏｄｅ  Ｒａｙ  Ｔｕｂｅ）の短所である重さと体積を減らすことができる各種平板表示装置が開発されている。平板表示装置としては、液晶表示装置（Ｌｉｑｕｉｄ  Ｃｒｙｓｔａｌ  Ｄｉｓｐｌａｙ  Ｄｅｖｉｃｅ）、電界放出表示装置（Ｆｉｅｌｄ  Ｅｍｉｓｓｉｏｎ  Ｄｉｓｐｌａｙ  Ｄｅｖｉｃｅ）、プラズマ表示パネル（Ｐｌａｓｍａ  Ｄｉｓｐｌａｙ  Ｐａｎｅｌ）及び有機電界発光表示装置（Ｏｒｇａｎｉｃ  Ｌｉｇｈｔ  Ｅｍｉｔｔｉｎｇ  Ｄｉｓｐｌａｙ  Ｄｅｖｉｃｅ）などが挙げられる。
【０００３】
平板表示装置のうち、有機電界発光表示装置は、電子と正孔の再結合によって光を発生する有機発光ダイオードを用いて映像を表示する。このような有機電界発光表示装置は、速い応答速度を有すると共に、優れた表示品質を提供するという長所がある。
【０００４】
現在、有機電界発光表示装置は、携帯電話を含む小型機器に主に用いられている。小型機器はユーザによって携帯して用いられるものであって、低消費電力で駆動されなければならない。従って、小型機器に用いられる有機電界発光表示装置の消費電力を低減するための研究が活発に進められている。
【０００５】
一例として、消費電力を低減するために有機電界発光表示装置の駆動周波数を下げる方法が考えられる。しかしながら、有機電界発光表示装置の画素は多数のトランジスタから構成され、駆動周波数が低くなれば、漏れ電流により画面の明るさ変化や、フリッカという問題が発生する。
【先行技術文献】
【特許文献】
【０００６】
【特許文献１】韓国公開特許第２００６−００４４３５４号公報
【発明の概要】
【発明が解決しようとする課題】
【０００７】
本発明は上記事情に鑑みてなされたものであって、その目的は、画質に影響を与えることなく、消費電力を低減することができるようにした有機電界発光表示装置及びその駆動方法を提供することにある。
【課題を解決するための手段】
【０００８】
本発明の一観点に係る有機電界発光表示装置は、走査線に走査信号を順次供給するための走査駆動部と、前記走査信号と同期されるようにデータ線にデータ信号を供給するためのデータ駆動部と、前記走査線及びデータ線の交差部に位置する画素と、正常な画像を表示する正常駆動モードと最小限の情報のみを表示する待機駆動モードを判別するためのタイミング制御部と、前記画素に供給される第１電源と第２電源を生成し、前記正常駆動モードで前記第１電源と前記第２電源間の電圧差を第１電圧に設定し、前記待機駆動モードで前記第１電源と前記第２電源間の電圧差を前記第１電圧と異なる第２電圧に設定する電源部とを備える。
【０００９】
好ましくは、前記第１電圧は前記第２電圧より高い電圧である。前記データ駆動部は、前記正常駆動モードで多様な階調を実現できる前記データ信号を供給し、前記待機駆動モードで前記画素の発光又は非発光のみを決定する前記データ信号を供給する。
【００１０】
本発明の他の観点に係る第１電源から有機発光ダイオードを経由して第２電源に流れる電流量を制御する駆動トランジスタを備える画素を含む有機電界発光表示装置の駆動方法において、正常な映像を表示するための正常駆動モード又は最小限の情報のみを表示するための待機駆動モードであるかを判別する段階と、前記正常駆動モードの場合、前記駆動トランジスタが飽和領域で駆動され得るように前記第１電源及び第２電源の電圧を設定する段階と、前記待機駆動モードの場合、前記駆動トランジスタが線形領域で駆動され得るように前記第１電源及び第２電源の電圧を設定する段階とを含む。
【００１１】
好ましくは、前記正常駆動モードの場合、前記画素で多様な階調の映像が表示され得るようにデータ信号の電圧が設定される。前記待機駆動モードの場合、前記駆動トランジスタがスイッチ駆動されて前記画素が発光又は非発光状態で制御されるように前記データ信号の電圧が設定される。
【発明の効果】
【００１２】
以上のように、本発明の有機電界発光表示装置及びその駆動方法は、待機駆動モード期間に第１電源及び第２電源の電圧差を最小化して消費電力を低減できるという効果を奏する。また、待機駆動モード期間に画素のそれぞれに含まれる駆動トランジスタがスイッチ駆動されるため、漏れ電流が発生しても発光又は非発光状態を維持でき、これにより、駆動周波数を下げて駆動できる。
【図面の簡単な説明】
【００１３】
【図１】本発明の実施形態に係る有機電界発光表示装置を示す図である。
【図２】図１に示す画素の実施形態を示す図である。
【図３】図２に示す画素回路の実施形態を示す図である。
【図４Ａ】正常駆動モード及び待機駆動モードでの動作過程を示す図である。
【図４Ｂ】正常駆動モード及び待機駆動モードでの動作過程を示す図である。
【図５】図２に示す画素回路の他の実施形態を示す図である。
【図６】図５に示す画素回路の駆動方法を示す波形図である。
【図７】本発明の他の実施形態に係る有機電界発光表示装置を示す図である。
【図８】図７に示すスイッチ部を示す図である。
【図９Ａ】正常駆動モード及び待機駆動モードでスイッチ部の動作過程を示す図である。
【図９Ｂ】正常駆動モード及び待機駆動モードでスイッチ部の動作過程を示す図である。
【発明を実施するための最良の形態】
【００１４】
以下、本発明の属する技術分野において通常の知識を有する者が本発明を容易に実施できる好適な実施形態が添付された図１〜図９Ｂを参照して、以下詳細に説明する。
【００１５】
図１は、本発明の実施形態に係る有機電界発光表示装置を示す図である。
【００１６】
図１を参照すれば、本発明の実施形態に係る有機電界発光表示装置は、走査線Ｓ１〜Ｓｎ（ｎは３以上の自然数）及びデータ線Ｄ１〜Ｄｍ（ｍは３以上の自然数）の交差部に位置する画素１４０を含む画素部１３０と、走査線Ｓ１〜Ｓｎを駆動するための走査駆動部１１０と、データ線Ｄ１〜Ｄｍを駆動するためのデータ駆動部１２０と、第１電源ＥＬＶＤＤ及び第２電源ＥＬＶＳＳを供給するための電源部１６０と、走査駆動部１１０、データ駆動部１２０及び電源部１６０を制御するためのタイミング制御部１５０とを備える。
【００１７】
走査駆動部１１０は、タイミング制御部１５０の制御によって走査信号を生成し、生成された走査信号を走査線Ｓ１〜Ｓｎに順次供給する。ここで、走査信号は、画素１４０に含まれるトランジスタがターンオンされ得る電圧（例えば、ロー極性）に設定される。走査駆動部１１０から走査信号が順次供給されれば、画素１４０が水平ライン単位で選択される。
【００１８】
データ駆動部１２０は、タイミング制御部１５０の制御によってデータ信号を生成し、生成されたデータ信号を走査信号と同期するようにデータ線Ｄ１〜Ｄｍに供給する。この場合、走査信号によって選択された画素１４０にデータ信号が供給される。一方、データ駆動部１２０は、タイミング制御部１５０から供給されるモード制御信号に対応して、データ線Ｄ１〜Ｄｍに出力されるデータ信号を制御する。
【００１９】
例えば、データ駆動部１２０は、タイミング制御部１５０から正常駆動モードに対応する第１モード制御信号が入力される場合、表示しようとする映像に対応するデータ信号をデータ線Ｄ１〜Ｄｍに供給する。一方、データ駆動部１２０は、タイミング制御部１５０から待機駆動モードに対応する第２モード制御信号が入力される場合、発光（又はホワイト）又は非発光（又はブラック）に対応するデータ信号をデータ線Ｄ１〜Ｄｍに供給する。待機駆動モードでは、画素部１３０は、最小限の情報（例えば、時計、バッテリ残量など）のみを含む白黒映像を表示する。
【００２０】
電源部１６０は、タイミング制御部１５０から供給されるモード制御信号に対応して第１電源ＥＬＶＤＤ及び／又は第２電源ＥＬＶＳＳの電圧を制御する。例えば、電源部１６０は、タイミング制御部１５０から第１モード制御信号が入力される場合、正常駆動モードに対応するように第１電源ＥＬＶＤＤ及び第２電源ＥＬＶＳＳの電圧を制御する。正常駆動モードは、画素部１３０で正常に映像を表示するモードであって、画素１４０のそれぞれに含まれる駆動トランジスタが飽和領域で駆動され得るように、第１電源ＥＬＶＤＤ及び第２電源ＥＬＶＳＳの電圧値が設定される。この場合、第１電源ＥＬＶＤＤ及び第２電源ＥＬＶＳＳ間の電圧差は第１電圧に設定される。例えば、正常駆動モードで第１電源ＥＬＶＤＤは５Ｖ、第２電源ＥＬＶＳＳは４Ｖに設定され、これにより、第１電圧は９Ｖに設定され得る。
【００２１】
電源部１６０は、タイミング制御部１５０から第２モード制御信号が入力される場合、待機駆動モードに対応する第１電源ＥＬＶＤＤ及び第２電源ＥＬＶＳＳの電圧を制御する。待機駆動モードは、画素部１３０において最小限の情報のみを表示するモードであって、画素１４０のそれぞれに含まれる駆動トランジスタが線形領域で駆動されるように、第１電源ＥＬＶＤＤ及び第２電源ＥＬＶＳＳの電圧値が設定される。この場合、第１電源ＥＬＶＤＤ及び第２電源ＥＬＶＳＳの電圧差は、第１電圧より低い第２電圧に設定される。例えば、待機駆動モードでは、第１電源ＥＬＶＤＤは３Ｖ、第２電源ＥＬＶＳＳは０Ｖに設定され、これにより、第２電圧は３Ｖに設定され得る。
【００２２】
タイミング制御部１５０は、走査信号が生成されるように走査駆動部１１０を制御すると共に、データ信号が生成されるようにデータ駆動部１２０を制御する。また、タイミング制御部１５０は、有機電界発光表示装置の駆動モードを判別し、判別されたモードに対応してデータ駆動部１２０及び電源部１６０にモード制御信号を供給する。タイミング制御部１５０でモードを判別する方法及び手段は、現在公知となっている多様な形態の方法が利用され得る。
【００２３】
一般に、携帯電話などの携帯用機器ではユーザが作動を始めた時点から入力信号が持続的に入力される場合、正常駆動モードと判別し、一定時間に入力信号が発生しない場合、待機駆動モードと判別する。このようなモード判別方法は、現在携帯電話などの携帯用機器で一般に用いられるものであって、詳細な説明は省略する。
【００２４】
画素部１３０は、電源部１６０から第１電源ＥＬＶＤＤ及び第２電源ＥＬＶＳＳの供給を受けてそれぞれの画素１４０に供給する。ここで、正常駆動モードに対応する第１電源ＥＬＶＤＤ及び第２電源ＥＬＶＳＳが入力される場合、画素１４０のそれぞれに含まれる駆動トランジスタは、定電流源で駆動しつつデータ信号に対応する電流を有機発光ダイオードに供給する。一方、待機駆動モードに対応する第１電源ＥＬＶＤＤ及び第２電源ＥＬＶＳＳが入力される場合、画素１４０のそれぞれに含まれる駆動トランジスタは、スイッチ駆動しつつ有機発光ダイオードの発光又は非発光を制御する。
【００２５】
なお、図１では説明の便宜上、画素１４０のそれぞれが１つの走査線Ｓ及びデータ線Ｄに接続されると示したが、本発明はこれに限定されない。例えば、画素１４０のそれぞれは、走査線Ｓ以外に発光制御線（図示せず）に付加的に接続され得る。本発明の画素１４０は現在公知となっている多様な構造で形成され得る。
【００２６】
図２は、本発明の実施形態に係る画素１４０を示す図である。図２では説明の便宜上、第ｍのデータ線Ｄｍ及び第ｎの走査線Ｓｎに接続された画素を示す。
【００２７】
図２を参照すれば、本発明の実施形態に係る画素１４０は、有機発光ダイオードＯＬＥＤと、有機発光ダイオードＯＬＥＤに電流を供給するための画素回路１４２とを備える。
【００２８】
有機発光ダイオードＯＬＥＤのアノード電極は画素回路１４２に接続され、カソード電極は第２電源ＥＬＶＳＳに接続される。このような有機発光ダイオードＯＬＥＤは、画素回路１４２から供給される電流に対応する所定輝度の光を発光する。
【００２９】
画素回路１４２は、走査線Ｓｎに走査信号が供給される時、データ線Ｄｍからデータ信号の供給を受ける。データ信号の供給を受けた画素回路１４２は、データ信号に対応する電流を有機発光ダイオードＯＬＥＤに供給する。このような画素回路１４２は、現在公知となっている多様な形態の回路で構成され得る。
【００３０】
図３は、図２に示す画素回路の実施形態を示す図である。
【００３１】
図３を参照すれば、画素回路１４２’は、第１トランジスタＭ１、第２トランジスタＭ２及びストレージキャパシタＣｓｔを備える。
【００３２】
第１トランジスタＭ１のゲート電極は走査線Ｓｎに接続され、第１電極はデータ線Ｄｍに接続される。そして、第１トランジスタＭ１の第２電極は、第２トランジスタＭ２のゲート電極に接続される。このような第１トランジスタＭ１は、走査線Ｓｎに走査信号が供給される時ターンオンされる。
【００３３】
第２トランジスタＭ２（駆動トランジスタ）のゲート電極は、第１トランジスタＭ１の第２電極に接続され、第１電極は第１電源ＥＬＶＤＤに接続される。そして、第２トランジスタＭ２の第２電極は、有機発光ダイオードＯＬＥＤのアノード電極に接続される。
【００３４】
ストレージキャパシタＣｓｔは、第２トランジスタＭ２のゲート電極と第１電極との間に接続される。このようなストレージキャパシタＣｓｔは、データ信号に対応する電圧を充電する。
【００３５】
前述した本発明の画素１４０において、第２トランジスタＭ２は、正常駆動モードでは定電流源で駆動され、ストレージキャパシタＣｓｔに格納された電圧に対応する電流を有機発光ダイオードＯＬＥＤに供給する。一方、第２トランジスタＭ２は、待機駆動モードの場合はスイッチ駆動され、有機発光ダイオードＯＬＥＤの発光及び非発光を制御する。
【００３６】
動作過程を詳細に説明すれば、まず正常駆動モードの場合、電源部１６０は、第２トランジスタＭ２が飽和領域で駆動するように、第１電源ＥＬＶＤＤ及び第２電源ＥＬＶＳＳの電圧値を設定する。その後、走査駆動部１１０は走査線Ｓ１〜Ｓｎに走査信号を順次供給し、これにより、画素１４０に含まれた第１トランジスタＭ１が水平ライン毎に順次ターンオンされる。第１トランジスタＭ１がターンオンされると、走査信号と同期するように供給されるデータ信号（所定階調の映像を表示できる電圧に設定）が、第１トランジスタＭ１を経由して第２トランジスタＭ２のゲート電極に供給される。このとき、ストレージキャパシタＣｓｔは、データ信号に対応する電圧を充電する。
【００３７】
このとき、第２トランジスタＭ２は飽和領域で駆動されるため、図４Ａのように、第２トランジスタＭ２は定電流源で駆動される。即ち、第２トランジスタＭ２は、ストレージキャパシタＣｓｔに充電された電圧に対応する電流を有機発光ダイオードＯＬＥＤに供給し、これにより、データ信号に対応する輝度の映像を表示できる。つまり、本発明では、正常駆動モードの場合、第２トランジスタＭ２をデータ信号に対応する定電流源で駆動しながら映像を表示する。
【００３８】
一方、待機駆動モードの場合、電源部１６０は、第２トランジスタＭ２が線形領域で駆動するように、第１電源ＥＬＶＤＤ及び第２電源ＥＬＶＳＳの電圧値を設定する。そして、データ駆動部１２０は、画素の発光又は非発光に対応するデータ信号をデータ線Ｄ１〜Ｄｍに供給する。ここで、データ駆動部１２０は、画素１４０に含まれた第２トランジスタＭ２がスイッチ駆動するようにデータ信号の電圧を制御する。例えば、画素１４０が発光する場合、第２トランジスタＭ２が完全にターンオンするように十分に低い電圧を供給し、画素１４０が非発光する場合、第２トランジスタＭ２が完全にターンオフするように十分に高い電圧を供給する。
【００３９】
その後、走査駆動部１１０は走査線Ｓ１〜Ｓｎに走査信号を順次供給し、画素１４０に含まれた第１トランジスタＭ１が、水平ライン毎に順次ターンオンされる。第１トランジスタＭ１がターンオンされると、走査信号と同期されるように供給されるデータ信号（発光又は非発光電圧に設定）が、第１トランジスタＭ１を経由して第２トランジスタＭ２のゲート電極に供給される。このとき、ストレージキャパシタＣｓｔは、データ信号に対応する電圧を充電する。
【００４０】
このとき、第２トランジスタＭ２は線形領域で駆動されるため、図４Ｂのように、第２トランジスタＭ２はスイッチ駆動される。即ち、第２トランジスタＭ２は、ストレージキャパシタＣｓｔに充電された電圧に対応してターンオン又はターンオフすることにより、有機発光ダイオードＯＬＥＤの発光又は非発光を制御する。即ち、本発明では待機駆動モードの場合、第２トランジスタＭ２をスイッチ駆動しつつ映像を表示する。
【００４１】
前述した待機駆動モードでは、第２トランジスタＭ２が線形領域で駆動するように第１電源ＥＬＶＤＤ及び第２電源ＥＬＶＳＳの電圧を制御するため、消費電力を低減できる。また、第２トランジスタＭ２がスイッチのように動作するため、第１トランジスタＭ１による漏れ電流が発生しても輝度は殆ど変化しない。従って、待機駆動モードでは駆動周波数を下げて駆動でき、これにより、消費電力を低減できる。
【００４２】
図５は、図２に示す画素回路の他の実施形態を示す図である。
【００４３】
図５を参照すれば、画素回路１４２’’は、第１〜第６トランジスタＭ１〜Ｍ６及びストレージキャパシタＣｓｔを備える。このような画素回路１４２’’は、図３に示す画素回路１４２’に比べて、第２トランジスタＭ２の閾値電圧が補償されるように付加的にトランジスタＭ３〜Ｍ６が含まれる点でのみ相違し、正常駆動モード及び待機駆動モードでの動作原理は実質的に同一である。
【００４４】
第１トランジスタＭ１の第１電極はデータ線Ｄｍに接続され、第２電極は第１ノードＮ１に接続される。そして、第１トランジスタＭ１のゲート電極は第ｎの走査線Ｓｎに接続される。このような第１トランジスタＭ１は、第ｎの走査線Ｓｎに走査信号が供給される時にターンオンされ、データ線Ｄｍに供給されるデータ信号を第１ノードＮ１に供給する。
【００４５】
第２トランジスタＭ２の第１電極は第１ノードＮ１に接続され、第２電極は第６トランジスタＭ６の第１電極に接続される。そして、第２トランジスタＭ２のゲート電極はストレージキャパシタＣｓｔに接続される。このような第２トランジスタＭ２は、ストレージキャパシタＣｓｔに充電された電圧に対応する電流を有機発光ダイオードＯＬＥＤに供給する。
【００４６】
第３トランジスタＭ３の第１電極は第２トランジスタＭ２の第２電極に接続され、第２電極は第２トランジスタＭ２のゲート電極に接続される。そして、第３トランジスタＭ３のゲート電極は第ｎの走査線Ｓｎに接続される。このような第３トランジスタＭ３は、第ｎの走査線Ｓｎに走査信号が供給される時にターンオンし、第２トランジスタＭ２をダイオード形態で接続させる。
【００４７】
第４トランジスタＭ４のゲート電極は、第ｎ‐１の走査線Ｓｎ−１と接続され、第１電極は、ストレージキャパシタＣｓｔの一側端子及び第１トランジスタＭ１のゲート電極に接続される。そして、第４トランジスタＭ４の第２電極は、初期化電源Ｖｉｎｔに接続される。このような第４トランジスタＭ４は、第ｎ−１の走査線Ｓｎ−１に走査信号が供給される時にターンオンされ、ストレージキャパシタＣｓｔの一側端子及び第１トランジスタＭ１のゲート電極の電圧を初期化電源Ｖｉｎｔの電圧に変更する。
【００４８】
第５トランジスタＭ５の第１電極は第１電源ＥＬＶＤＤに接続され、第２電極は第１ノードＮ１に接続される。そして、第５トランジスタＭ５のゲート電極は、発光制御線Ｅｎに接続される。このような第５トランジスタＭ５は、発光制御線Ｅｎから発光制御信号が供給されない時にターンオンされ、第１電源ＥＬＶＤＤと第１ノードＮ１を電気的に接続する。
【００４９】
第６トランジスタＭ６の第１電極は第２トランジスタＭ２の第２電極に接続され、第２電極は有機発光ダイオードＯＬＥＤのアノード電極に接続される。そして、第６トランジスタＭ６のゲート電極は発光制御線Ｅｎに接続される。このような第６トランジスタＭ６は、発光制御信号が供給されない時にターンオンされ、第２トランジスタＭ２から供給される電流を有機発光ダイオードＯＬＥＤに供給する。
【００５０】
前述した本発明の画素１４０において、第２トランジスタＭ２は正常駆動モードの場合に定電流源で駆動され、ストレージキャパシタＣｓｔに格納された電圧に対応する電流を有機発光ダイオードＯＬＥＤに供給する。一方、第２トランジスタＭ２は待機駆動モードの場合にスイッチ駆動され、有機発光ダイオードＯＬＥＤの発光及び非発光を制御する。
【００５１】
図６は、図５に示す画素に供給される駆動波形を示す波形図である。
【００５２】
図６を参照すれば、まず、第ｎ−１の走査線Ｓｎ−１に走査信号が供給され、第４トランジスタＭ４がターンオンされる。第４トランジスタＭ４がターンオンされると、ストレージキャパシタＣｓｔの一側端子及び第２トランジスタＭ２のゲート端子に初期化電源Ｖｉｎｔの電圧が供給される。即ち、第４トランジスタＭ４がターンオンされれば、ストレージキャパシタＣｓｔの一側端子及び第２トランジスタＭ２のゲート端子の電圧が初期化電源Ｖｉｎｔの電圧に初期化される。ここで、初期化電源Ｖｉｎｔの電圧値は、データ信号より低い電圧値に設定される。
【００５３】
その後、第ｎの走査線Ｓｎに走査信号が供給される。第ｎの走査線Ｓｎに走査信号が供給されれば、第１トランジスタＭ１及び第３トランジスタＭ３がターンオンされる。第３トランジスタＭ３がターンオンされれば、第２トランジスタＭ２がダイオード形態で接続される。第１トランジスタＭ１がターンオンされれば、データ線Ｄｍに供給されるデータ信号が第１トランジスタＭ１を経由して第１ノードＮ１に供給される。このとき、第２トランジスタＭ２の電圧が初期化電源Ｖｉｎｔの電圧に設定されるため（即ち、第１ノードＮ１に供給されるデータ信号の電圧より低く設定されるため）、第２トランジスタＭ２がターンオンされる。
【００５４】
第２トランジスタＭ２がターンオンされれば、第１ノードＮ１に印加されたデータ信号が、第２トランジスタＭ２及び第３トランジスタＭ３を経由してストレージキャパシタＣｓｔの一側端子に供給される。ここで、データ信号はダイオード形態で接続された第２トランジスタＭ２を経由してストレージキャパシタＣｓｔに供給されるため、ストレージキャパシタＣｓｔには、データ信号及び第２トランジスタＭ２の閾値電圧に対応する電圧が充電される。
【００５５】
ストレージキャパシタＣｓｔにデータ信号及び第２トランジスタＭ２の閾値電圧に対応する電圧が充電された後、発光制御信号ＥＭＩの供給が中断されて第５トランジスタＭ５及び第６トランジスタＭ６がターンオンされる。第５トランジスタＭ５及び第６トランジスタＭ６がターンオンされると、第１電源ＥＬＶＤＤから有機発光ダイオードＯＬＥＤへの電流経路が形成される。この場合、第２トランジスタＭ２はストレージキャパシタＣｓｔに充電された電圧に対応して、第１電源ＥＬＶＤＤから有機発光ダイオードＯＬＥＤに流れる電流量を制御する。
【００５６】
ここで、画素１４０に含まれたストレージキャパシタＣｓｔにはデータ信号だけでなく、第１トランジスタＭ１に閾値電圧に対応する電圧が追加で充電されるため、第１トランジスタＭ１の閾値電圧と関係なく、有機発光ダイオードＯＬＥＤに流れる電流量を制御できる。
【００５７】
一方、正常駆動モードの場合、電源部１６０は、第２トランジスタＭ２が飽和領域で駆動するように第１電源ＥＬＶＤＤ及び第２電源ＥＬＶＳＳの電圧値を設定する。そして、データ駆動部は、所定階調の映像を表示できる電圧に設定されたデータ信号をデータ線Ｄ１〜Ｄｍに供給する。この場合、第２トランジスタＭ２は、データ信号に対応する定電流源で駆動しながら映像を表示する。
【００５８】
また、待機駆動モードの場合、電源部１６０は、第２トランジスタＭ２が線形領域で駆動するように、第１電源ＥＬＶＤＤ及び第２電源ＥＬＶＳＳの電圧値を設定する。そして、データ駆動部１２０は画素の発光又は非発光に対応するデータ信号をデータ線Ｄ１〜Ｄｍに供給する。ここで、データ駆動部１２０は画素１４０に含まれた第２トランジスタＭ２がスイッチ駆動できるようにデータ信号の電圧を制御する。例えば、画素１４０が発光する場合、第２トランジスタＭ２が完全にターンオンされるように十分に低い電圧のデータ信号を供給し、画素１４０が非発光する場合、第２トランジスタＭ２が完全にターンオフされるように十分に高い電圧のデータ信号を供給する。このように、第２トランジスタＭ２は、スイッチ駆動しながら映像を表示することになる。
【００５９】
なお、前述した説明では待機駆動モードで駆動する場合、データ信号の電圧は、第２トランジスタＭ２が完全にターンオンされる電圧又は完全にターンオフされる電圧と仮定した。しかしながら、現在、一般に用いられるデータ駆動部１２０は、所定階調の映像を表示するためにデータ信号を供給するものであって、０〜４Ｖの電圧を出力する。従って、待機駆動モードで所望のデータ信号の電圧を供給できないおそれがある。
【００６０】
図７は、本発明の他の実施形態に係る有機電界発光表示装置を示す図である。図７を説明するに際して、図１と同じ構成については同じ図面符号を付すと共に、詳細な説明は省略する。
【００６１】
図７を参照すれば、本発明の他の実施形態に係る有機電界発光表示装置は、走査駆動部１１０、データ駆動部１２０、画素１４０を含む画素部１３０、タイミング制御部１９０、電源部１７０及びスイッチ部１８０を備える。
【００６２】
電源部１７０は、タイミング制御部１９０から供給されるモード制御信号に対応して、第１電源ＥＬＶＤＤ及び／又は第２電源ＥＬＶＳＳの電圧を制御する。例えば、電源部１７０は、タイミング制御部１５０から第１モード制御信号が入力される場合、画素１４０のそれぞれに含まれる駆動トランジスタが飽和領域で駆動するように、第１電源ＥＬＶＤＤ及び第２電源ＥＬＶＳＳの電圧値を設定する。一方、電源部１７０は、タイミング制御部１５０から第２モード制御信号が入力される場合、画素１４０のそれぞれに含まれる駆動トランジスタが線形領域で駆動するように第１電源ＥＬＶＤＤ及び第２電源ＥＬＶＳＳの電圧値を設定する。
【００６３】
また、電源部１７０は第３電源ＶＷ及び第４電源ＶＢを生成し、生成された第３電源ＶＷ及び第４電源ＶＢをスイッチ部１８０に供給する。第３電源ＶＷは、画素１４０のそれぞれに含まれる駆動トランジスタが完全にターンオンされる電圧に設定される。例えば、第３電源ＶＷは、データ駆動部１２０から出力される最も低いデータ信号の電圧と同一か、より低い電圧に設定され得る。
【００６４】
第４電源ＶＢは、正常駆動モードの場合、データ駆動部１２０から出力される最も低いデータ信号の電圧と同一かより低い電圧に設定される。そして、第４電源ＶＢは待機駆動モードの場合、画素１４０のそれぞれに含まれる駆動トランジスタが完全にターンオフされる電圧に設定される。
【００６５】
スイッチ部１８０は、データ駆動部１２０及び画素１４０の間に位置する。図７では説明の便宜上、スイッチ１８０がデータ駆動部１２０の出力端子Ｏ１〜Ｏｍのそれぞれとデータ線Ｄ１〜Ｄｍの間に位置するものと示した。このようなスイッチ部１８０は、データ駆動部１２０から供給されるデータ信号と、電源部１７０から供給される第３電源ＶＷ及び第４電源ＶＢの電圧とを選択的にデータ線Ｄ１〜Ｄｍに供給する。
【００６６】
例えば、データ駆動部１２０は、正常駆動モードで駆動される場合、データ信号をデータ線Ｄ１〜Ｄｍに供給する。一方、データ駆動部１２０は、待機駆動モードで駆動される場合、第３電源ＶＷ及び第４電源ＶＢの電圧をデータ線Ｄ１〜Ｄｍに供給する。
【００６７】
タイミング制御部１９０は、走査信号が生成されるように走査駆動部１１０を制御すると共に、データ信号が生成されるようにデータ駆動部１２０を制御する。また、タイミング制御部１９０は有機電界発光表示装置のモードを判別し、判別されたモードに対応して電源部１７０にモード制御信号を供給する。そして、タイミング制御部１９０は、制御信号を供給してスイッチ部１８０に含まれるトランジスタのターンオン及びターンオフを制御する。
【００６８】
図８は、図７に示すスイッチ部の回路図を示す図である。図８では説明の便宜上、第ｍの出力端子Ｏｍと接続された回路構成を示す。
【００６９】
図８を参照すれば、スイッチ部１８０は、出力端子Ｏｍ及びデータ線Ｄｍの間に位置する第１０トランジスタＭ１０と、データ線Ｄｍと第４電源ＶＢとの間に接続される第１１トランジスタＭ１１と、データ線Ｄｍと第３電源ＶＷとの間に接続される第１２トランジスタＭ１２とを備える。
【００７０】
第１０トランジスタＭ１０は、出力端子Ｏｍ及びデータ線Ｄｍの間に位置し、タイミング制御部１９０から供給される第１制御信号ＣＳ１に対応してターンオン又はターンオフされる。このような第１０トランジスタＭ１０は、それぞれのチャネル毎に位置し、正常駆動モード期間にターンオン状態を維持し、待機駆動モード期間にターンオフ状態を維持する。
【００７１】
第１１トランジスタＭ１１はデータ線Ｄｍと第４電源ＶＢとの間に位置し、出力端子Ｏｍに供給される電圧に対応してターンオン又はターンオフされる。このような第１１トランジスタＭ１１はそれぞれのチャネル毎に位置し、正常駆動モード期間にターンオフ状態を維持し、待機駆動モード期間に出力端子Ｏｍに供給される電圧に対応してターンオン又はターンオフされる。ここで、待機駆動モード期間に出力端子Ｏｍに供給される電圧は、画素１４０でブラックを表現する場合、第１１トランジスタＭ１１がターンオンされる電圧を供給し、その他の場合に第１１トランジスタＭ１１がターンオフされる電圧を供給する。
【００７２】
第１２トランジスタＭ１２はデータ線Ｄｍと第３電源ＶＷとの間に位置し、タイミング制御部１９０から供給される第２制御信号ＣＳ２に対応してターンオン又はターンオフされる。このような第１２トランジスタＭ１２は、正常駆動モード期間にターンオフ状態を維持し、待機駆動モード期間にターンオン及びターンオフを繰り返す。ここで、第１２トランジスタＭ１２は待機駆動モード期間中、走査信号が供給される期間にターンオフされ、走査信号が供給されない期間に（走査信号間の期間）ターンオンされる。
【００７３】
なお、第１２トランジスタＭ１２は、スイッチ部１８０に１つ以上設置され得る。例えば、全てのデータ線Ｄ１〜Ｄｍに第３電源ＶＷを供給するには、１つの第１２トランジスタＭ１２が設置され得る。また、チャネル毎に第１２トランジスタＭ１２が設置されて、データ線Ｄ１〜Ｄｍのそれぞれに第３電源ＶＷを供給できる。
【００７４】
図９Ａは、正常駆動モード期間の駆動波形を示す波形図である。
【００７５】
図９Ａを参照すれば、正常駆動モード期間では、ローの第１制御信号ＣＳ１が供給されて第１０トランジスタＭ１０がターンオンされ、ハイの第２制御信号ＣＳ２が供給されて第１２トランジスタＭ１２がターンオフされる。そして、電源部１７０は、第４電源ＶＢの電圧をデータ駆動部１２０から出力される最も低いデータ信号の電圧と同一か、より低い電圧に設定する。
【００７６】
その後、走査線Ｓ１〜Ｓｎに走査信号が順次供給され、データ線Ｄ１〜Ｄｍに走査信号と同期されるようにデータ信号が供給される。データ線に供給されたデータ信号を第１０トランジスタＭ１０を経由して画素１４０に供給する。一方、第４電源ＶＢは、データ駆動部１２０から出力される最も低いデータ信号の電圧と同一か、より低い電圧に設定されるため、第１１トランジスタＭ１１はデータ信号と関係なく、ターンオフ状態を維持する。
【００７７】
即ち、正常駆動モード期間では、第１０トランジスタＭ１０がターンオンされて、データ信号が画素１４０に安定して供給され得る。そして、第１１トランジスタＭ１１及び第１２トランジスタＭ１２は、有機電界発光表示装置が安定して駆動され得るようにターンオフ状態を維持する。
【００７８】
図９Ｂは、待機駆動モード期間の駆動波形を示す波形図である。
【００７９】
図９Ｂを参照すれば、待機駆動モード期間では、ハイの第１制御信号ＣＳ１が供給されて第１０トランジスタＭ１０がターンオフされる。そして、第１２トランジスタＭ１２は、走査信号とターンオン時間が重ならないようにターンオン及びターンオフを繰り返す。また、チャネル毎に設置される第１１トランジスタＭ１１は、自身が接続された出力端子Ｏ１〜Ｏｍから供給される電圧に対応してターンオン又はターンオフされる。そして、電源部１７０は、画素１４０のそれぞれに含まれる駆動トランジスタが完全にターンオフされるように第４電源ＶＢの電圧を設定する。
【００８０】
動作過程を詳細に説明すれば、まず第１走査線Ｓ１に走査信号が供給される前に、ローの第２制御信号によって第１２トランジスタＭ１２がターンオンされる。第１２トランジスタＭ１２がターンオンされれば、第３電源ＶＷの電圧がデータ線Ｄｍに供給される。この場合、データ線Ｄｍの寄生キャパシタ（図示せず）に第３電源ＶＷの電圧が充電される。
【００８１】
その後、ハイの第２制御信号によって第１２トランジスタＭ１２がターンオフされると共に、第１走査線Ｓ１に走査信号が供給される。ここで、第１走査線Ｓｎ及び第ｍのデータ線Ｄｍと接続された特定画素１４０が発光状態に設定されれば、出力端子Ｏｍから第１１トランジスタＭ１１がターンオフする電圧が供給される。特定画素１４０が非発光状態に設定されれば、出力端子Ｏｍから第１１トランジスタＭ１１がターンオンされる電圧が供給される。
【００８２】
例えば、特定画素１４０が発光状態に設定されれば、第１１トランジスタＭ１１はターンオフ状態に設定される。この場合、走査信号によって選択された特定画素１４０は、データ線Ｄｍの寄生キャパシタに充電された第３電源ＶＷの電圧の供給を受ける。特定画素１４０に第３電源ＶＷの電圧が供給されれば、駆動トランジスタが完全にターンオン状態に設定され、これにより、特定画素１４０が発光する。
【００８３】
また、特定画素１４０が非発光状態に設定されれば、第１１トランジスタＭ１１はターンオン状態に設定される。この場合、走査信号によって選択された特定画素１４０は第４電源ＶＢの電圧の供給を受ける。特定画素１４０に第４電源ＶＢの電圧が供給されれば、駆動トランジスタが完全にターンオフ状態に設定され、これにより、特定画素１４０が非発光する。その後、上記の過程が繰り返されながら、水平ライン単位で画素１４０の発光及び非発光が制御され、所定情報を含む映像が表示される。
【００８４】
以上説明したように、本発明の最も好ましい実施の形態について説明したが、本発明は、上記記載に限定されるものではなく、特許請求の範囲に記載され、又は明細書に開示された発明の要旨に基づき、当業者において様々な変形や変更が可能なのはもちろんであり、係る変形や変更が、本発明の範囲に含まれることは言うまでもない。
【図１】
2011081336.tif 000003
【図２】
2011081336.tif 000004
【図３】
2011081336.tif 000005
【図４Ａ】
2011081336.tif 000006
【図４Ｂ】
2011081336.tif 000007
【図５】
2011081336.tif 000008
【図６】
2011081336.tif 000009
【図７】
2011081336.tif 000010
【図８】
2011081336.tif 000011
【図９Ａ】
2011081336.tif 000012
【図９Ｂ】
2011081336.tif 000013